Podtech/llm-jp-corpus-v4-ja_patent huggingface dataset:
(57)【要約】  【課題】  耐錆性の高いフエンス用支柱及びフエンスを提供する。  【解決手段】  支柱１に、１対のナット４、４が上下に２ヶ所設けられており、このナット４により胴縁２をバンド６等を用いて支柱１に固定するようになっている。ナット４は支柱１の側面に溶接などにより固定されており、支柱１には孔などは形成されていない。ナット４の側面には貫通孔４１が形成されており、側面からメネジ穴４０を突き抜けて、反対側の側面に抜けている。支柱１はナット４を含めて全体をメッキ加工されている。前記貫通孔４１によりメネジ穴４０まで確実にメッキ処理がなされている。【選択図】  図４
2006200134.tif 000002
【特許請求の範囲】
【請求項１】
側面に固定されたナットと、
該ナットの側面に設けられ、該ナットのメネジ穴に連通する貫通孔と、
を有することを特徴とするフエンス用支柱。
【請求項２】
少なくとも１対の支柱と、
該支柱の側面に固定された１対のナットと、
該１対のナットの間に装着された胴縁と、
前記胴縁を支柱に固定するバンドと、
該バンドを前記１対のナットを用いて支柱に締結する締結具と、
前記ナットの側面に設けられ、該ナットのメネジ穴に連通する貫通孔と、
を有することを特徴とするフエンス。
【請求項３】
前記支柱と側面に固定されたナットは、メッキ加工されている、
請求項１のフエンス用支柱又は請求項２のフエンス。
【発明の詳細な説明】
【技術分野】
【０００１】
この発明は、フエンス用の支柱及びフエンスに関する。
【背景技術】
【０００２】
フエンスは支柱と支柱間に設けられた胴縁により枠体を構成し、ここに網などのフエンス体を張設する構造が一般的である。
支柱と胴縁の接続の構成には種々のものがあるが、一般的に支柱に穴を設け、締結具をここにネジやボルトを用いて固定し、胴縁を接合するのが一般的である（特許文献１）。
【０００３】
【特許文献１】特開平９−１５８５４８号公報
【発明の開示】
【発明が解決しようとする課題】
【０００４】
しかしながら、海岸などに敷設するフエンスにおいては、支柱に設けた前記締結用穴から塩分を含んだ水が侵入し、支柱内部から錆が拡散していく問題があった。支柱に穴をあけずに、バンドなどを支柱に巻きつけて胴縁を固定する方法もあるが、バンドが大きくなる上、締結が確実に行われ難い問題があった。
本発明は上記従来技術の問題を解決することを目的とする。
【課題を解決するための手段】
【０００５】
上記目的を達成するために、本発明の支柱は、側面に固定されたナットと、該ナットの側面に設けられ、該ナットのメネジ穴に連通する貫通孔と、を有することを特徴とする。
該ナットを１対設け、この１対のナットの間に胴縁を装着して、固定バンド等により胴縁を固定し、該バンドを前記１対のナットにボルト等により締結することにより、錆の発生し難いフエンスを得ることができる。
【発明の効果】
【０００６】
本発明のフエンス用支柱によれば、ナットが設けられているため、支柱自体に孔を開けずに、胴縁などを固定できる。そのため、耐錆性の高い支柱が得られる。またナットには貫通孔が設けられているため、メッキ処理の際にメネジ穴の内部まで確実にメッキ処理が行え、錆の発生を抑制できる。
そのため、海岸などに用いる耐錆性の高いフエンスを得られる。
【発明を実施するための最良の形態】
【０００７】
以下本発明の実施の形態を図面に基づいて説明する。
図１において、支柱１に胴縁２，２が装着され、ここに網や格子などのフエンス体３が張られて、フエンスを構成している。
【０００８】
支柱１には、１対のナット４、４が上下に２ヶ所設けられており、このナット４により胴縁２を支柱１に固定するようになっている。
【０００９】
ナット４は図２に示すように、支柱１の側面に溶接などにより固定されており、支柱１には孔などは形成されていない。
ナット４は必要に応じて適宜の高さを有し、その軸線方向にメネジ穴４０が形成されている。
なお、支柱１は、図２の実施形態では円柱を用いているが、角柱等どのような形状でも使用可能である。
【００１０】
ナット４の側面には貫通孔４１が形成されており、側面からメネジ穴４０に連通し、ここを突き抜けて、反対側の側面に抜けている。
支柱１はナット４を溶接して固定した後に、全体をメッキ加工されている。このメッキ加工の際に、前記貫通孔４１によりメネジ穴４０まで確実にメッキ処理がなされるため、防錆性が向上する。
【００１１】
図４にナット４を用いた胴縁２の締結部の詳細を示す。
１対のナット４は胴縁２の径に合わせて間隔を調整して溶接固定されており、このナット４、４の間に胴縁２を装着する。
該胴縁２にバンド６を取り付け、このバンド６をボルト５によりナット４に固定し、胴縁２を支柱１に締結するように構成されている。
【００１２】
以上のように、ナット４が支柱１の表面に露出しているため、胴縁２の固定作業も容易に行える。
【００１３】
以上説明したように、上記実施形態においては、支柱１に孔などを開ける必要がなく、またナット４の内部のメネジ穴４０にもメッキ処理を施すことができるため、錆の発生を抑制でき、海岸などに設置するフエンスに適している。
また、胴縁２と支柱１の締結も、表面に露出しているナット４を用いて行うため、作業がしやすく、簡単である。
【図面の簡単な説明】
【００１４】
【図１】本発明の一実施形態を示す概略正面図。
【図２】本発明の一実施形態を示す平面図。
【図３】本発明の一実施形態におけるナット２の断面図。
【図４】本発明の一実施形態における支柱１と胴縁２の締結構造の説明図。
【符号の説明】
【００１５】
１：支柱、２：胴縁、３：フエンス体、４：ナット、５：ボルト、６：バンド、４０：メネジ穴、４１：貫通孔。
【図１】
2006200134.tif 000003
【図２】
2006200134.tif 000004
【図３】
2006200134.tif 000005
【図４】
2006200134.tif 000006
(57)【要約】      （修正有）【課題】構築し易く、解体および部材の再利用が容易な屋根裏構造を提供する。【解決手段】小屋裏が載る２階部分は、小屋梁３の上に十分な厚みの構造用合板５を予め張っておく。屋根を支える山形フレーム６は、ボックス形の軽量鉄骨を溶接して逆Ｖの字形に形成したもので、その両端（肘部分）から内側に向かって水平に延びる陸梁部６ａを備えている。この陸梁部をボルト９で、直下の小屋梁３に固定する。【選択図】図１
2006200166.tif 000002
【特許請求の範囲】
【請求項１】
小屋梁の各々の上に屋根を支える山形フレームを載せ、該山形フレームの両端から内側に向かって水平に延びる陸梁部を該小屋梁にボルト締めした屋根裏構造。
【請求項２】
該山形フレームを載せる前に、該小屋梁の上面に合板を張り詰めた請求項１に記載の屋根裏構造。
【発明の詳細な説明】
【技術分野】
【０００１】
この発明は、住宅の屋根裏構造に関する。
【背景技術】
【０００２】
図３は木造住宅の屋根裏を示したもので、梁２０の上に小屋束２１を立てて母屋２２を支持し、母屋の上に垂木２３を支えて屋根２４を葺く。小屋束２１は、上下端部にほぞ２５を形成しておき、これを梁および母屋に設けたほぞ穴に嵌め込む。
【０００３】
このような従来の構造では、後で家を解体するときに、小屋束のほぞが簡単に抜けないので解体工事に手間取る。また、解体した梁や母屋にほぞ穴が残るので、部材を再利用しにくいという問題がある。
【発明の開示】
【発明が解決しようとする課題】
【０００４】
この発明は、構築し易いだけでなく、解体および部材の再利用が容易な屋根裏構造を提供するを課題とする。
【課題を解決するための手段】
【０００５】
この発明の屋根裏構造は、小屋梁の各々の上に、屋根を支える山形フレームを載せ、該山形フレームの両端から内側に向かって水平に延びる陸梁部を該小屋梁にボルト締めしたものである（請求項１）。
【０００６】
このように構成することにより、解体するときは、ボルトを抜くだけで、山形フレームを簡単に取り外すことができ、また、小屋梁にはボルト穴が残るものの、小さなものなので、再利用の妨げになることはほとんどない。
【０００７】
山形フレームは軽量鋼材を溶接して山形に形成したものが使いやすい。山形フレームは１本ずつ直下の小屋梁に取り付け、後から山形フレームを相互に連結する。複数本の山形フレームを予め立体構造に連結し、これを建物の上にクレーンで吊り下ろすようにしてもよい。
【０００８】
山形フレームを載せる前に小屋梁の上面に合板を張り詰める（請求項２）。このように合板を張り詰めることで、躯体がねじれるのを有効に防止することができる。また、山形フレームを取り付けるときに、作業がしやすくなる。
【発明を実施するための最良の形態】
【０００９】
図１および図２に示すのは木造２階建の住宅であり、小屋裏１（屋根裏）は物置である。小屋裏を除く躯体は、従来通りの軸組み構造である。小屋裏が載る２階部分は、軒梁２と軒梁２の間に小屋梁（木製梁）３を一定間隔（例えば1m）を存して渡してある。従来は、これら梁と梁の交差部分にブラケット状の火打ち金物（またはブレース）を取り付けて躯体のねじれを防止するようにしていたが、必ずしも変形防止の効果は十分でなかった。そこで、このものは、火打ち金物の代わりに、小屋梁の上に十分な厚みの合板５（例えば、24〜28mmの構造用合板）を張る。合板５は階段部の開口などを除き全面に張り詰める。
【００１０】
各小屋梁３の上に、屋根を支える山形のフレーム６を取り付けるのであるが、この山形フレームは、ボックス形の軽量鉄骨を溶接して逆Ｖの字形に形成したもので、その両端（肘部分）から内側に向かって水平に延びる陸梁部６ａ（これもボックス形の軽量鉄骨製である。）を備えている。陸梁部は山形フレーム本体６と支柱７で結ばれている。この陸梁部をボルト９で、直下の小屋梁３に固定する。
【００１１】
こうして取り付けられた山形フレームは、隣のもの同士、中央部を繋ぎ部材１０（コの字断面の軽量型鋼）で繋ぐ。同時に、隣同士の山形フレーム６は、図１に示すように、ターンバックル付きブレース１１で×状に締め付けて、変形を防止する。
【００１２】
こうして２階の上に山形フレームを設置したら、母屋１２を並べ、その上に野地板１３を張り、屋根材１４を葺く。
【００１３】
何年か後に解体するときは、ボルト９を外すだけで、躯体から屋根部が外れるので、作業が極めて容易である。
【図面の簡単な説明】
【００１４】
【図１】小屋裏の組立斜視図である。
【図２】小屋裏の断面図である。
【図３】従来の住宅の小屋裏を示す。
【符号の説明】
【００１５】
３    小屋梁
５    合板
６    山形フレーム
６ａ  陸梁部
９    ボルト
【図１】
2006200166.tif 000003
【図２】
2006200166.tif 000004
【図３】
2006200166.tif 000005
(57)【要約】      （修正有）【課題】  日除け布付き半円麦わら帽子の日除け布部分の襟足近くに、首に結ぶための細長いひもを縫いつけたことにより、固定可能となった日除け布付き半円麦わら帽子を提供する。【解決手段】  半円麦わら帽子の日除け布部分の襟足近くに、帽子を固定するための細長いひもを縫いつけ、帽子をかぶる際、日除け布の両端を結ぶ前に、前記の縫いつけた細長いひもを首に結び帽子を固定することを特徴とする日除け布付き半円麦わら帽子。【選択図】図２
2006200102.tif 000002
【特許請求の範囲】
【請求項１】
結び部を有する日除け布に固定用ひもを設けたことを特徴とする日除け布付き半円麦わら帽子。
【発明の詳細な説明】
【技術分野】
【０００１】  本発明は、日除け布付き半円麦わら帽子の日除け布部分の襟足近くに、首に結ぶための細長いひもを縫いつけたことにより、固定可能となった日除け布付き半円麦わら帽子に関するものである。
【背景技術】
【０００２】  従来の日除け布付き半円麦わら帽子は、後頭部にひっかける平ゴムが付いていたものが存在した。
【発明の開示】
【発明が解決しようとする課題】
【０００３】  その為に次のような問題点があった。  一般的に日除け帽子は前のツバが大きい為、頭部を上下にするたびに平ゴムがはずれ、その結果、帽子が前にずれ、帽子を元の位置に戻さなければならないという煩わしさがあった。さらに、前記背景技術では、帽子の固定が不十分であったため、毎回立ち上がる度に、帽子を元の位置に戻さなければならず、その行為が極めて煩わしかった。  本発明は、以上の問題点を解決しようとするものである。
【図１】
【課題を解決するための手段】
【０００４】  半円麦わら帽子の日除け布部分の襟足近くに、帽子を固定するための細長いひもを縫いつける。帽子をかぶり、日除け布の両端を結ぶ前に、前記の縫いつけた細長いひもを首に結び帽子を固定する。以上を特徴とする日除け布付き麦わら帽子である。
【本発明の効果】
【０００５】  本発明は日除け布に縫いつけられたひもを首に結ぶことにより固定感が増し、仕事中も帽子のずれを気にせず仕事が出来るため、煩わしさが消え、農作業の効率が増した。
【０００６：１】
以下、発明の実施の形態を説明する。  イ．日除け布の襟足の近くに首に結ぶひもを付けた。  ロ．首に結べる長さのひもを付けた。
【図２】
本発明は以上の構成よりなっている。本発明を使用するときは帽子をかぶり、首にひもを結ぶ。最後に、日除け布の両端を結ぶ。
【図３】
【図４】
【０００６：２】
イ．同じ効果で、襟足の近くにベルトを付けた。  ロ．その先端にマジックを縫い付けた。
【図５】
本発明は以下の構成になっている。本発明を使用するときは帽子をかぶり、首にベルトを巻き、マジックを止める日除け布の両端を結ぶ。
【図６】
【図７】
【図面の簡単な説明】
【０００７】
【図８】本発明の正面図
【図９】本発明の使用状態を示す傾斜図
【符号の説明】
【０００８】  １．半円麦わら帽子のふち  ２．日除け布  ３．固定用ひも  ４．結び部  ５．５センチ位に縫付（点線）
【図１０】
【図１】
2006200102.tif 000003
【図２】
2006200102.tif 000004
【図３】
2006200102.tif 000005
【図４】
2006200102.tif 000006
【図５】
2006200102.tif 000007
【図６】
2006200102.tif 000008
【図７】
2006200102.tif 000009
【図８】
2006200102.tif 000010
【図９】
2006200102.tif 000011
【図１０】
2006200102.tif 000012
【手続補正書】
【提出日】平成17年4月13日(2005.4.13)
【手続補正２】
【補正対象書類名】特許請求の範囲
【補正対象項目名】全文
【補正方法】変更
【補正の内容】
【特許請求の範囲】
【請求項１】
日除け布付き半円麦わら帽子を頭にかぶり前かがみになった際、麦わら帽子がずれ落ちることを防ぐ為、前記麦わら帽子の日除け布部分の襟足近くに、首に結び帽子を固定する為の細長いひもを縫い付けたことを特徴とする日除け布付き半円麦わら帽子
【手続補正３】
【補正対象書類名】明細書
【補正対象項目名】全文
【補正方法】変更
【補正の内容】
【発明の詳細な説明】
【技術分野】
【０００１】本発明は、日除け布付き半円麦わら帽子の日除け布部分の襟足近くに、首に結ぶための細長いひもを縫いつけたことにより、固定可能となった日除け布付き半円麦わら帽子に関するものである。
【背景技術】
【０００２】従来の日除け布付き半円麦わら帽子は、後頭部にひっかける平ゴムが付いていたが、頭部を上下するたびに平ゴムがはずれ、その結果帽子が前にずれ、帽子を元の位置に戻さなければならないという煩わしさがあった。
【発明の開示】
【発明が解決しようとする課題】
【０００３】その為に次のような問題点があった。
１般的に日除け帽子は前のツバが大きい為、通常の帽子より前にずれやすいという性質があり、さらに前期背景技術では、帽子の固定が不十分であったため、毎回立ち上がる度に帽子を元の位置に戻さなければならずその行為が極めて煩わしかった。
本発明は以上の問題点を解決しようとするものである。
【課題を解決するための手段】
【０００４】半円麦わら帽子の日除け布部分の襟足近くに帽子を固定するための細長いひもを縫いつける。帽子をかぶり、日除け布の両端を結ぶ前に前記の縫いつけた細長いひもを首に結び帽子を固定する。
以上を特徴とする日除け布付き麦わら帽子である。
【本発明の効果】
【０００５】本発明は日除け布に縫いつけられたひもを首に結ぶことにより固定感が増し仕事中も帽子のずれを気にせず、仕事が出来るため煩わしさが消え、農作業の効率が増した。
【０００６】以下発明の実施の形態を説明する
イ、日除け布の襟足近くに首に結ぶひもを付けた。
ロ  首に結べる長さのひもを付けた。
ハ  ひもは中心５ｃｍ位い縫いつけた。
ニ  位置は襟足の近く
本発明は以上の構成よりなっている。
本発明を使用する時は、帽子をかぶり、首にひもを結ぶ。
最後に  日除け布の両端を結ぶ。
【図面の簡単な説明】
【０００７】
【図１】本発明のひもつき帽子の斜視図
【図２】従来の平ゴム付き帽子の斜視図
【図３】本発明の使用状態を示す傾斜図
【図４】本発明のひもを結んだ状態の傾斜図
【図５】本発明の日除け布の端を結んだ状態の傾斜図
【図６】本発明を装着した側面の傾斜図
【符号の設明】
【０００８】１  半円麦わら帽子のふち
２  日除け布
３  従来の後頭部にかける平ゴム
４  結び部
５  ひも
６  縫いつけた位置（５ｃｍ位い）
（襟足の近く）
【手続補正４】
【補正対象書類名】図面
【補正対象項目名】全図
【補正方法】変更
【補正の内容】
【図１】
2006200102.tif 000013
【図２】
2006200102.tif 000014
【図３】
2006200102.tif 000015
【図４】
2006200102.tif 000016
【図５】
2006200102.tif 000017
【図６】
2006200102.tif 000018
(57)【要約】      （修正有）【課題】瞬間的に服を脱ぐこと、またそれにより瞬間的に変身する方法。【解決手段】手以外の部分で上半身衣服を脱ぐために。上半身に着た衣服の中で、一番下に着けた服の首の輪部分を足の指や足に引っ掛けて固定する。【選択図】図３
2006200103.tif 000002
【特許請求の範囲】
【請求項１】
上半身に着た衣服の一部を足の指または足に固定して上半身の衣服を脱ぐ方法。具体的には上半身の衣服を着衣している場合において、前屈して、上半身の衣服の中で、一番下に着ている服の首輪部分を足の指または足に固定する。その状態から上半身を起こすと上半身の衣服が脱げる。以上の方法。
【請求項２】
請求項１の方法を利用した全身の衣服の脱ぎ方。具体的には上半身の衣服と下半身の衣服を着衣している場合において、前屈して、上半身の衣服の中で、一番下に着ている服の首輪部分を足の指または足に固定する。下半身の衣服を手でおろし、上半身を起こすと上半身の衣服も脱げる。以上の方法。
【請求項３】
請求項１、請求項２の方法を利用した早変わり、あるいは変身の方法。以下具体的に示す。請求項２で示した衣服の下に早変わり、あるいは変身後の姿となる別の衣服を着用する。その状態で請求項２で示した衣服の脱ぎ方で、「早変わり、あるいは変身後の姿となる別の衣服」以外の衣服を脱ぎ早変わり、あるいは変身する。以上の方法。
【発明の詳細な説明】
【技術分野】
【０００１】  この発明は、服の脱ぎ方とそれによるいわゆる変身に関する。
【背景技術】
【０００２】  従来普通に着た状態から服を脱ぐには  １  手を使って上半身衣服を脱ぐ  ２  手を使って下半身衣服を脱ぐ  以上の２動作が必要である。
また「服の下に変身後の姿となる衣服を着ていて、上に着ている服を脱ぎ変身後の姿となる（このことを以下変身とよぶ）」のにもやはり上記の２動作が必要である。
【発明の開示】
【発明が解決しようとする課題】
【０００３】以上の技術によれば、２動作を別々に行なわざるを得ないため、テレビの特撮ヒーローものなどに見られる瞬間変身は現実には不可能だった。
そこで、この発明は、瞬間的に服を脱ぐこと、またそれにより瞬間的に変身することを課題とする。
【課題を解決するための手段】
【０００４】  以上の課題を解決するためには動作をひとつにすることである。下半身の衣服を脱ぐのに手を使うならば、上半身の衣服を脱ぐには手以外の部分を使って脱げば良い。それにより瞬間的に衣服が脱げ、瞬間的に変身できる。
第一発明は、手以外の部分で上半身衣服を脱ぐために、上半身に着た衣服の中で、一番下に着けた服の首の輪部分を足の指や足に引っ掛けて固定する方法。
第二発明は、第一発明の状態からスタートして、手で下半身衣服を脱ぐと同時に、上半身を起きあげると上半身衣服も脱げる。この方法である。            第三発明は、第一発明第二発明による全身衣服の脱ぎ方を用いた瞬間的な変身法である。
【発明の効果】
【０００５】  第三発明により、瞬間的変身も可能となる。瞬間的変身は、変身ヒーローもののおもちゃ開発や、プロレスラーのマスクマンへの変身、映像・舞台での変身など産業上の利用価値がある。またこの発明による瞬間的変身はだれがやってもできる。
【発明を実施するための最良の形態】
【０００６】  この発明の一実施形態を、「図１」から「図６」まで順に示す。
「図１」では着ぐるみの全身タイツ（変身後の姿）を下に着込み普通に上着を着た状態である。上はランニングシャツと開襟シャツ、下はトランクスとズボン  全身タイツ含まず４枚の服を着ている。
「図２」で、ランニングシャツの首の輪部分を手で引っ張り出す。ランニングシャツは黒色で示してある。
「図３」で  ランニングシャツの首の輪部分を足の親指に引っ掛け、さらに足でランニングシャツを踏んづけた状態にする。
「図４」でズボンとトランクスを手で下におろす。同時に上半身を起こしはじめる。
「図５」で上半身完全に起こすと上半身衣服も完全に脱げる。
「図６」で変身完了。
脱ぎ始めは〔図３〕からであり、〔図３〕から〔図６〕まで普通約０秒３で行えるので瞬間的変身が可能になる。【０００７】「実施形態の効果」
この実施形態によれば、下の着ぐるみへの変身が容易に可能になるため、着ぐるみを変えればなんにでも瞬間的変身ができる。（例  スパイダーマンの着ぐるみならスパイダーマンに瞬間的に変身。）よってこの技を玩具などに応用も可能となる。【０００８】「他の実施形態」
図の実施形態では、ランニングシャツの首輪を右足親指にかけたが、もちろん他の指でも、あるいは他の固定物にかける、あるいは人に持ってもらっても良い。要するになにかにひっかければ良い。またランニングシャツでなくてもできる。
【図面の簡単な説明】
【０００９】
【図１】は変身前の人間正面図である。
【図２】は変身のため、ランニングシャツを手でひっぱりだしている図である。
【図３】は変身のための用意の形を示した図である。
【図４】は変身中のトランクス・ズボンを手でおろし、上半身を起こしつつある図である。頭は、上半身衣服の中に入っている。
【図５】は変身中の上半身を完全に起こした図である。
【図６】は変身完了後の人間の図である。
【図１】
2006200103.tif 000003
【図２】
2006200103.tif 000004
【図３】
2006200103.tif 000005
【図４】
2006200103.tif 000006
【図５】
2006200103.tif 000007
【図６】
2006200103.tif 000008
(57)【要約】      （修正有）【課題】男性性器が股間の皮膚に触れないので陰嚢がべた付く事がなく爽快であり、又人前で陰部にさわる事がないので気楽である男性用下着の製造方法を提供する。【解決手段】男性用下着に孤立した空間を設け、孤立した空間に陰茎を出入出来る開閉口を設け、男性性器全体を隔離する。【選択図】図３
2006200108.tif 000002
【特許請求の範囲】
【請求項１】
男性用下着を履いた時、男性性器が男性用下着から自然に突出する穴をあける。
【請求項２】
突出した男性性器が入る孤出した空間を設ける。
【請求項３】
孤立した空間に陰茎を出入出来る開閉口を設ける。
【発明の詳細な説明】
【発明の詳細な説明】
【技術分野】
【０００１】  本発明は男性性器を収める空間を製造取付の方法である。
【背景技術】
【０００２】  従来の男性用下着は男性性器を隠蔽するだけで其の他の配慮はない。
【発明が解決しようとする課題】
【０００３】  従来の男性下着は股間全体を一緒に覆うため蒸れて陰湿の空間となり陰金タムシを引起す。又、高年齢になると陰嚢が常に垂れ下り股間の皮膚に吸付き非常に不快感を伴う。
【課題を解決するための手段】
【０００４】  上記目的を達成するために発明の男性用下着においては覆い２を製造し取付ける。
【０００５】  孤立した空間４の取付位置は男性性器が突出したところである。
【発明を実施するための最良の形態】
【０００６】  発明に実施の形態を実施例にもとづき図面を参照して説明する。
図１において男性用下着を履いた時、男性用下着１に男性性器の突出口５があるため男性性器は男性下着から自然に突出します。其の先は覆い２で囲まれ空間に収まり孤立する。したがって周りの皮膚からは完全に隔離される。
【発明の効果】
【０００７】  本発明は以上説明したように構成されているので以下に記載される効果を奏でる。
【０００８】  男性性器が股間の皮膚に触れないので陰嚢がべた付く事がなく爽快である。又人前で陰部にさわる事がないので気楽である。
【０００９】  蒸れる事がなく、自然に股間全域の痒みが解消した。
【図面の簡単な説明】
【図１】  男性用下着の正面図である
【図２】  男性用下着本体と孤立空間を実施した横断面図
【図３】  孤立空間の取付部実施例横断図
【符号の説明】
１男性用下着の本体
２覆い
３陰茎の出入口
４孤立した空間
５男性性器の突出口
【図１】
2006200108.tif 000003
【図２】
2006200108.tif 000004
【図３】
2006200108.tif 000005
(57)【要約】【課題】  織り物機や手編みの良いところを合わせ思いどおりの作品を簡単な技術で作成できる機具と方法を提供する。【解決手段】  織り編み板（１）に目盛穴（２）を設け、その目盛穴（２）に糸かけピン（３）を差し込み、糸をかけ編み込んでいくことを特徴とする。【選択図】  図１
2006200101.tif 000002
【特許請求の範囲】
【請求項１】
織り編み板（１）に目盛穴（２）を設け、その目盛穴（２）に糸かけピン（３）を差し込み、糸をかけ編み込んでいくことを特徴とした手織り編み機。
【発明の詳細な説明】
【技術分野】
【０００１】  本発明は、手織り機の特徴と手編みの特徴の良い点を合わせ簡単に織り編み出来るように工夫したもので、織り編み板に目盛穴を設け、その目盛穴に糸かけピンを差し込み、糸をかけ編み込んでいくことを特徴とした手織り編み機に関するものである。
【背景技術】
【０００２】  従来は、板上に釘型ピンをさし込み、それに糸を掛け綜絖やシャトルにてたて糸を上下しよこ糸を通す手織り機であった。
手編みは編み針、編み棒などに糸をかけ編みすすむものであった。
【発明の開示】
【発明が解決しようとする課題】
【０００３】  そのために次のような問題点があった。
（イ）本格手織り機は大きくその場所が必要であった。
板上に釘さしピンを使用する小型の物もたて糸と綜絖で上下しシャトルで糸を通して織り進むというわずらわしさがあった。
いずれも直線状の布を織るものである。
（ロ）手編みの場合、実寸大に編み上げるために曲線、直線など寸法の割出しや目数、段数、減し目増し目などの計算があらかじめ必要であった。
（ハ）（イ）、（ロ）のどちらも、手編みや織り機に関してのある程度の技術、知識の修得が不可決であった。
本発明はこれらの問題の解決するためになされたものである。
【課題を解決するための手段】
【０００４】  織り編み板（１）に目盛穴（２）を設ける。
そして目盛穴（２）に糸かけピン（３）を差し込み、糸をかけ編み込んでゆく。
本発明は以上の構成からなる簡単手織り編み機である。
【発明の効果】
【０００５】  本発明を使用することでそのまま実寸大の作品が出来るので、いままで必要であった割出し計算等がいらなくなった。
同じ作品の中に、まったく異なる素材を使用出来るようになった。
織り機は布状類しか織れなかったが本発明は手編みのメリアス編みかぎ針編みなど多彩な風合なものが作成出来るようになった。
直線、曲線など自由自在に糸かけピンで差し込むことができるので、簡単な技術で様々な織り編みができる。
綜絖、シャトルのわずらわしさが無く糸かけピンの溝により糸ぬけしないようになった。
【発明を実施するための最良の形態】
【０００６】  以下本発明の実施の形態について説明する。
（イ）四角の織り編み板台（１）に縦、横方向に等間隔に複数の目盛穴（２）を設ける。
（ロ）前記の目盛穴（２）にはめる糸かけピン（３）を設け、その糸かけピン（３）の頭部（４）に横長方向に切りかけ部（５）下部にはさし込み部（６）を設ける。
本発明は以上の構成である。以下使い方を説明する。
手織り編み板に目盛穴を設け、糸かけピンをその目盛穴に差し込んで使用する。
織り編み台（１）に糸かけピン（３）を曲線直線など自由に目盛穴（２）に差し込み、糸かけピン（３）に糸（８）をかけ、その糸を基として編み針（７）などを使用して糸を編み込んでゆくことにより、実寸大の作品を簡単な技術で作成することが可能となる。
【図面の簡単な説明】
【０００７】
【図１】  本発明の正面図である。
【図２】  本発明の一部を切り欠いた側面図である。
【図３】  本発明の使用例を示した斜視図である。
【符号の説明】
【０００８】  １  手織編み板台
２  目盛穴
３  糸かけピン
４  糸かけピン頭部
５  切りかけ部
６  差し込み部
７  編み針
８  糸
【図１】
2006200101.tif 000003
【図２】
2006200101.tif 000004
【図３】
2006200101.tif 000005
【図３】
2006200101.tif 000006
【手続補正書】
【提出日】平成17年3月22日(2005.3.22)
【手続補正１】
【補正対象書類名】明細書
【補正対象項目名】０００７
【補正方法】変更
【補正の内容】
【０００７】
【図１】本発明の正面図である。
【図２】本発明の一部を切り欠いた側面図である。
【図３】本発明の使用例を示した斜視図である。
【図４】本発明の糸かけピンの断面説明図である。
【符号の説明】
【手続補正２】
【補正対象書類名】図面
【補正対象項目名】全図
【補正方法】変更
【補正の内容】
【図１】
2006200101.tif 000007
【図２】
2006200101.tif 000008
【図３】
2006200101.tif 000009
【図４】
2006200101.tif 000010
(57)【要約】【課題】脇の下のバストがブラジャーに収まらず、体を動かしたり、腕を上げたときは、脇の下のバストの安定感を得えられず、バストアップの効果を得られなかった。また、ブラジャーカップ内では、不安定になったバストが動き、せっかくのブラジャーワイヤーが大きくずれることがあり、ブラジャーワイヤーによる胸中央部の痛みを感じなければならなかった。【解決手段】ブラジャーの吊り紐の位置を脇の下位置に設ける。  また、ブラジャーカップと脇バンドを一体化することにより、装着時の安定感を得られ、バストを中央に寄せバストアップがはかれる。ブラジャーの吊り紐を脇の下位置から取り付け、バストアップをはかる構造により、ブラジャーのカップが浅い設計となり、ブラジャーワイヤーが緩やかなカーブとなるため、さらなるバストアップをはかることができる。【選択図】図１
2006200104.tif 000002
【特許請求の範囲】
【請求項１】
ブラジャーの吊り紐の位置を、脇の下位置から縫い付け、バストを脇から持ち上げるとによりバストを中央に寄せバストアップをはかることを特徴とするブラジャー。
【請求項２】
前記ブラジャーの吊り紐は、ブラジャーカップと脇バンドを一体化させ、ブラジャーカップを浅く設計したことを特徴とする請求項１記載のブラジャー。
【請求項３】
前記ブラジャー吊り紐は、バスト周囲の収まりきらない余分なバストを持ち上げ、請求項２によるブラジャーカップを浅く設計ることによりブラジャーのワイヤーのカーブを緩やかなカーブとなることを特徴とする請求項１記載のブラジャー。
【発明の詳細な説明】
【技術分野】
【０００１】  この発明は、ブラジャー吊り紐の取り付け位置により、ブラジャー装着時のバストアップに関するものである。
【背景技術】
【０００２】  従来のブラジャーの形状は、図３に示すように、ブラジャー吊り紐の取り付け位置がブラジャー脇バンドと分離された構造のものである。
【発明の開示】
【発明が解決しようとする課題】
【０００３】しかしながら、以上の技術によれば、脇の下のバストがブラジャーに収まらず、特に体を動かしたり、腕を上げたときは、脇の下のバストの安定感を得えられず、バストアップの効果を得られなかった。また、ブラジャーカップ内では、不安定になったバストが動き、せっかくのブラジャーワイヤーが大きくずれることがあり、ブラジャーワイヤーによる胸中央部の痛みを感じなければならなかった。そこで、この発明は、バストを中央に寄せバストアップをはかり装着時に安定感を得られるブラジャーを提供することを課題とする。
【課題を解決するための手段】
【０００４】以上の課題を解決するために、第一発明は、ブラジャーの吊り紐の位置を脇の下位置から縫い付けたことを特徴とするブラジャーである。
また、第二発明は、ブラジャーカップと脇バンドを一体化することにより、装着時の安定感が得られ、バストを中央に寄せバストアップがはかれることを特徴とするブラジャーである。また、第三発明は、第一、第二発明により、ブラジャーのカップが浅い設計となり、ブラジャーワイヤーが緩やかなカーブとなることを特徴とするブラジャーである。
【発明の効果】
【０００５】  第一発明、第二発明または第三発明によれば、ブラジャーの吊り紐を脇の下位置に設け、ブラジャーカップと脇バンドを一体化したので、体を動かしたり、腕を上げてもバストの装着時の不快感がなくなり、装着時に安定感を得られ、バストアップをはかれようになった。
【発明を実施するための最良の形態】
【０００６】  この発明の一実施形態を、図１に示す。ブラジャーの本体１の、ブラジャー吊り紐Ａ１、Ｂ１は、脇の下位置Ｃ１、Ｃ２に縫い付けられている。ブラジャー吊り紐Ａ１、Ｂ１はそれぞれ左右のＣ１、Ｃ２よりＡ、Ｂ側面のＡ１、Ｂ１、ａ、ｂと一体化されている。ブラジャーワイヤーｃ、ｄは、ブラジャー吊り紐Ａ１、Ｂ１により短くカーブの緩やかなものになる。【０００７】「実施形態の効果」
この実施形態によれば、ブラジャー吊り紐が脇の下よりバストを引き上げるので従来の構造より装着時の安定感が得られ、ブラジャーカップ内のバストが横から押し上げられる形でバストアップをすることができる。この構造により、ブラジャーカップを浅く設計することができ、衣類を装着した際のバストラインが美しく映える効果を得られる。体を動かしたり、腕を上げてもバストがブラジャー内に安定し、従来のようにバストの収まりを気にしたり、直したりすることが無くなる。また、ブラジャーカップが浅く設計されることにより、緩やかなカーブのブラジャーワイヤーでアンダーバストへの締め付けがなくなり、従来のブラジャーワイヤーによる胸中央部締め付け、痛みがなくなった。フロントホックタイプにおいては、更に安定感、バストラインの美しさ、バストアップ効果を得られる。【０００８】「他の実施形態」
図１の実施形態では、ブラジャー吊り紐の取り付け位置によるバストアップ効果は女性下着であったが、他の実施形態では、水着、マタニティ用ブラジャー、女性用Ｔシャツ、女性用ブラウスなどに設けたものでも、良い。
【図面の簡単な説明】
【０００９】
【図１】この発明の一実施形態を示す斜視図である。
【図２】本発明の要部拡大の左側面図である。
【図３】従来の要部拡大の左側面図である。
【符号の説明】
【００１０】１ブラジャー本体  Ａ１左肩紐  Ｂ１右肩紐  Ｃ１左脇のした位置  Ｃ２右脇の下位置  Ａブラジャー本体左部分  Ｂブラジャー本体右部分  ａ左ブラジャーカップ  ｂ右ブラジャーカップ  ｃ左ワイヤー  ｄ右ワイヤー
【図１】
2006200104.tif 000003
【図２】
2006200104.tif 000004
【図３】
2006200104.tif 000005
(57)【要約】      （修正有）【課題】地下小口径パイプの横穴掘削を人力掘削から機械力を利用した工法で横穴掘削をして既設物の取壊しと復旧を最小限に止め、コストを安価にする。【解決手段】鋼製の筒状３で機械力を利用し土中に挿入する。筒内に入ってくる土砂で筒内の内蓋２が押されると連動する爪１が閉じる。爪が閉じると引き上げシャフト４で地上に上げ、筒内の土砂を内蓋で排出する。【選択図】図２
2006200130.tif 000002
【特許請求の範囲】
【請求項１】
鋼製の筒状で先端に開閉する掘削爪１があり本体の挿入板５に機械力で先端を土中に挿入し筒内に入った土砂を掴み（図３）引き上げ、排出を繰り返して所定の横穴が掘れる横穴掘削機。
【発明の詳細な説明】
【技術分野】
【０００１】
本発明は地下工事で困難な横穴掘削を機械の動力を利用し、長さ０ｍ〜４.０ｍ程度、小口径パイプを横穴に通すことができ、既設構造物の取り壊しと復旧が最小限で終わらすことができる。
【背景技術】
【０００２】
従来の地下工事の横穴掘削は大口径の推進工法がある。この工法は設置機械が大掛かりで小口径の工事には使えなかった。よって従来の工法は人力の掘削が主であった。
【発明の開示】
【発明が解決しようとする課題】
【０００３】
場所が川や用水溝の地下を横断するには横穴の長さや漏水に人力では苦労が多かった。この本発明の横穴掘削機を使うことにより横穴掘進が早く、安く、下水管、水道管、電線管を通すことが出来る。
【課題を解決するための手段】
【０００４】
地下掘削作業時は掘削重機が常時必要なため、常駐している建設機械や掘削重機の動力を利用して、本発明の横穴掘削機を吊り降ろし、挿入、引き上げ、排出のサイクルで掘削が完了できる。掘削には建設機械の動力を利用するためコストが安価になる。
【発明の効果】
【０００５】
以上説明したように地下工事で小口径横穴掘削が人力に大きな負担が掛かったが機械力で掘削が可能となった。この横穴掘削機の使用には縦掘削にも使用が可能である。また、本体の長さ以上になると補助機を継いで掘削する。本発明の横穴掘削機を使用することで現在の掘削時に既設構造物の取壊しや現状復旧することが最小限にできる。
【発明を実施するための最良の形態】
【０００６】
本発明の横穴掘削機を所定の深さと目標の位置に据付け建設機械の動力で挿入板５を前方へ押し出し土砂に挿入する。掘削筒３の中へ土砂が入ってくると内蓋２を押し下げる。内蓋２が最終点に到達すると開閉ロッド６が連動している掘削爪１を閉じる。吊り上げシャフト４を吊り具で引くと開閉ロッド６と内蓋２が固定され地上に上げる。吊り上げシャフト４にて前方へ押し戻すと掘削筒３の土砂が排出され１サイクルとなる。
【図面の簡単な説明】
【０００７】
【図１】横穴掘削機の実施方法を示した図である。
【図２】横穴掘削機の構造図である
【図３】横掘削機の筒内に土砂が入り内蓋を押し下げ爪が閉じた図である。
【符号の説明】
【０００８】
１  掘削爪
２  内蓋
３  掘削筒
４  吊り上げシャフト
５  挿入板
６  開閉ロッド
【図１】
2006200130.tif 000003
【図２】
2006200130.tif 000004
【図３】
2006200130.tif 000005
(57)【要約】      （修正有）【課題】クリーンブースの高さを容易に調整できるようにすることによって、天井の高さや内部に入れる装置の高さによる制約を減らすことができ，また，再利用が可能となり，使用後に破棄される割合が減るため，廃棄物の削減，及び資源の節約，設備費用の削減に貢献するクリーンブースを提供する。【解決手段】支柱には上下にスライドできる機構を設け，さらに，側面のビニールには吊り下げる高さを調整するためのフックとベルトを設けることによって，クリーンブースの高さを調整できる。【選択図】図１
2006200171.tif 000002
【特許請求の範囲】
【請求項１】
クリーンブースの支柱の高さ及び側面の高さを調整できるようにしたことによって、クリーンブースの高さを調整できるようにしたこと。
【発明の詳細な説明】
【技術分野】
【０００１】
本発明は、高さを調整できる機構を備えたクリーンブースである。
【背景技術】
【０００２】
クリーンブースは、設置される工場やクリーンルームの天井の高さや、クリーンブースの内部に入れる装置の高さによって制約を受ける。
【０００３】
これまでのクリーンブースは、高さを調整する機構を持っていなかったため、設置する部屋の天井の高さやクリーンブースの内部に入れる装置の高さを考慮して設計し、製作して専門業者が設置していた。
【０００４】
この改善策として、支柱には上下にスライドできる機構を設けて、側面のビニールには吊り上げる長さを調節するためのフックとベルトを設けた。
【発明の開示】
【発明が解決しようとする課題】
【０００５】
解決しようとする問題点は、クリーンブースの高さが簡単に調整できないために再利用が難しいことである。
【課題を解決するための手段】
【０００６】
本発明は、クリーンブースの高さが使用時に調整できることを最も主要な特徴とする。
【発明の効果】
【０００７】
クリーンブースの高さが使用時に調整できるため、設置する部屋の高さや内部に入れる装置の高さに制約されない。
【産業上の利用可能性】
【０００８】
再利用が可能になり、使用後に廃棄される割合が減るため、廃棄物の削減、及び資源の節約、設備費用の削減に貢献する。
【図面の簡単な説明】
【０００９】
【図１】全体の見取り図である。
【符号の説明】
【００１０】
（１）  ファンフィルターユニット
（２）  吊り下げ用パイプ
（３）  ビニールシート
（４）  支柱スライド用梁
（５）  アジャスタ
（６）  アングル
（７）  吊り下げ用ベルト
【図１】
2006200171.tif 000003
(57)【要約】【課題】    簡易に着脱ができ体に密着する、帽子とマフラーに兼用できる防寒具を提供する。【解決手段】    防寒具１は、閉ループ状に構成される保温体２と、保温体の一方の開口部に設けられる密閉部３と、密閉部３に設けられた１つまたは２つの孔５とから構成される。紐４は、密閉部３の表面に設けられた孔５から密閉部３内に通し、閉ループをほぼ一周するようにして同じ孔５または孔５の近傍に設けられた別の孔から取り出す。  この防寒具１では、紐４を絞り、保温体２の一方の閉ループを閉じることで帽子として使用できる。また、紐４を緩めて閉ループを広げて頭部を通過させて頸部に用いれば、マフラーとして使用できる。【選択図】        図１
2006200057.tif 000002
【特許請求の範囲】
【請求項１】
閉ループ状に構成される保温体（２）と、紐（４）と、前記保温体の一端に設けられた密閉部（３）と、密閉部に設けられた１つまたは２つの孔（５）と、前記孔から前記閉ループをほぼ一周するように前記紐が前記密閉部に通されたことを特徴とする防寒具（１）。
【発明の詳細な説明】
【技術分野】
【０００１】
本発明は、登山やトレッキング、日常生活で使用される防寒具で、帽子とマフラーの兼用を可能にしたことを特徴とする防寒具に関する。
【背景技術】
【０００２】
防寒具としての帽子とマフラーは別のものであるが、従来は、マフラーを頭頂部に巻き付け、頭部の防寒に利用する方法が知られていた。
【発明の開示】
【発明が解決しようとする課題】
【０００３】
マフラーは、首または頭部に複数回巻き付けることにより身体に装着するため、使用部位の汎用性がある反面、装着に手間がかかり、また巻き付けが解けた場合、先端が木立等の突起物に巻き付き使用者が危険にさらされる恐れがあった。
【０００４】
このため、身体に密着し簡易に装着できる、マフラーと帽子が兼用できる防寒具が望まれていた。
【０００５】
本発明は、かかる問題点を解決するために、身体に密着する構造で、帽子とマフラーの兼用ができる防寒具を提供することを目的とする。
【課題を解決するための手段】
【０００６】
本発明に係わる防寒具は、１つの局面では、閉ループ状に構成される保温体と、紐と、保温体の一端に設けられた密閉部と、密閉部に設けられた１つまたは２つの孔とで構成される。
【０００７】
保温体は伸縮性を有する構造とし、閉ループの大きさは、自然長において頭部よりも小さく、頸部と同じかやや大きいようにする。保温体の伸縮性は、編み地構成として付与してもよいし、伸縮性を有する糸を用いて付与しても良い。
【０００８】
閉ループの一端には、紐を通すための密閉部が設けられる。密閉部は、紐を挿入または／かつ排出するための１つまたは２つの孔が設けられており、紐はこの孔から挿入され、閉ループをほぼ一周するように密閉部を通され、再び孔から排出される。紐の両端を互いに結ぶか、結ぶと同様に任意の位置で系止される留め具を用いて、保温体の閉ループの大きさを調整できる。
【発明の効果】
【０００９】
本発明の防寒具では、紐を絞り、保温体の一方の閉ループを閉じることで帽子として使用できる。また、紐を緩めて閉ループを広げて頭部を通過させて頸部に用いれば、マフラーとして使用できる。しかもリング状で身体に密着する構造であるから、突起物等に引っかかることも少なくなる。
【発明を実施するための最良の形態】
【００１０】
以下、本発明の実施の形態について説明する。
【００１１】
本発明の防寒具１は、閉ループ状に構成される保温体２と、保温体の一方の開口部に設けられる密閉部３と、密閉部３に設けられた１つまたは２つの孔５とから構成される。紐４は、密閉部３の表面に設けられた孔５から密閉部３内に通し、閉ループをほぼ一周するようにして同じ孔５または孔５の近傍に設けられた別の孔から取り出す。
【実施例１】
【００１２】
図１のように、保温体２を閉ループ状に設け、閉ループの一方に密閉部３を、他方に伸縮部を設けた。保温体はポリエステルやポリエチレン等の繊維で構成される。伸縮部７はスパンデックス等で構成され、本実施例では３０％の伸び率を有するようにした。孔５から密閉部３に通した紐４の両端には留め具６を取り付け、紐４が抜けないようにしている。
【００１３】
紐４を絞り密閉部側の閉ループを閉じると、伸縮部７を頭部に嵌めて帽子として使用することができる。紐４を解放し密閉部側の閉ループを開け、伸縮部７を広げて頸部に通すと、マフラーとして使用することができる。
【産業上の利用可能性】
【００１４】
スキー、スケート、登山等の屋外活動時の防寒具として広く利用できる。
【図面の簡単な説明】
【００１５】
【図１】本発明の防寒具である。
【符号の説明】
【００１６】
１  防寒具、２  保温体、３  密閉部、４  留め具、５  孔、６  留め具、７  伸縮部
【図１】
2006200057.tif 000003
(57)【要約】【課題】  睡眠中に脚のふくらはぎ部、踝部、踵部、土踏まず部、足の甲部を保温するとともに、足指間に軽度な指圧的刺激を与える脚保温カバーを提供する【解決手段】  脚のふくらはぎ部、踝部、踵部、土踏まず部、足の甲部を保温する円筒状のカバー部とカバー部の下端開口部に設けた開口部を渡る紐部から構成されることを特徴とする。【選択図】  図１
2006200100.tif 000002
【特許請求の範囲】
【請求項１】
脚のふくらはぎ部、踝部、踵部、土踏まず部、足の甲部を保温する円筒状のカバー部とカバー部の下端開口部に設けた開口部を渡る紐部から構成される脚保温カバー。
【発明の詳細な説明】
【技術分野】
【０００１】  本発明は、睡眠中に脚のふくらはぎ部、踝部、踵部、土踏まず部、足の甲部をカバー部により保温するとともに、カバー部下端開口部に設けた開口部を渡る紐部により、足指に軽度な指圧的刺激を与える脚保温カバーに関するものである。
【背景技術】
【０００２】  従来は、脚のふくらはぎ部、踝部、踵部、土踏まず部、足の甲部を保温しつつ足指に指圧的刺激を与えるためには、脚部の保温を靴下ないしはレッグウォーマと一般に呼ばれる保温カバーで行い、足指への指圧的刺激のためにはスポンジ状の刺激用具等を指間に装着していた。
【発明の開示】
【発明が解決しようとする課題】
【０００３】  そのため、従来の方法では次のような問題点があった。【０００４】  靴下により保温を行い、刺激用具をその中に装着した場合は、つま先部の温度が上がり足指間に汗をかくなどの不快感があるだけでなく水虫になる可能性もあった。
また刺激用具の上から靴下を履くこととなり、靴下による締め付けのため過度の刺激となった。【０００５】  レッグウォーマにより保温を行い、刺激用具を装着した場合、睡眠中にレッグウォーマが踵、足首ないしはふくらはぎ方向にずれ上がり、保温効果が損なわれる恐れがあった。【０００６】  睡眠中に刺激用具が足指間から外れることがあった。
本発明はこれらの欠点を解決するためになされたものである。
【課題を解決するための手段】
【０００７】  脚のふくらはぎ部、踝部、踵部、土踏まず部、足の甲部を保温する円筒状のカバー部とカバー部の下端開口部に設けた開口部を渡る紐部から構成される脚保温カバーである。
【発明の効果】
【０００８】  以下、本発明の効果を述べる。
カバー部がふくらはぎ部から土踏まず部、足の甲部までの保温を行うとともに、足指間に挟まれた紐部が足指に対し適度な指圧的刺激を与えることができる。【０００９】  カバー部は毛糸の編み物、フリース等柔らかな素材により保温効果を持たせ、ふくらはぎ部から踝部、踵部、土踏まず部、足の甲部までの保温を行うことにより、冷えからくるふくらはぎのつりを予防できる。【００１０】  紐部による適度な指圧的刺激により睡眠中に指圧効果を期待できる。また紐部に中空の材質を用い内部に磁石を入れることにより、血行を良くすることができる。【００１１】  カバー部下端がつま先部を覆わないため、睡眠中のつま先部の温度上昇を抑えることができ、不快感が無くまた水虫の心配も無い。【００１２】  指圧的刺激を与える紐部がカバー部と連結されているため夜間に外れることが無く、保温効果が夜間中持続される。【００１３】  円筒状のカバー部上端部をゴム編状にし伸縮性をもたせふくらはぎ上部をかるく締め付けられるようにすると、強度な締め付けの不快感を生じさせずにずれ落ちを防げる。また、円筒状のカバー部の円周方向のサイズをふくらはぎ円周より若干大きくすることにより、睡眠時の締め付けの不快感を失くすことができる。
【発明を実施するための最良の形態】
【００１４】  以下、本発明の実施の形態について説明する。
本発明は、脚のふくらはぎ部、踝部、踵部、土踏まず部、足の甲部を保温する円筒状のカバー部（１）とカバー部の下端開口部（２）に設けた開口部を渡る紐部（３）から構成される。円筒状のカバー部は毛糸の編み物、フリース等柔らかな素材により保温効果を持たせ、上部はゴム編等により伸縮性をもたせふくらはぎ上部をかるく締め付けるようにする。カバー部下端開口部を渡る紐部は１本以上でカバー下端開口部に縫い付ける等の方法により取付け、装着した時足指間にはさめるだけの十分な長さを有し、材質は綿、ナイロン、ウレタン等比較的柔らかな素材で、足指間から外れにくいようやや弾力をもたせ、また足指への指圧効果を持たせるため表面にざらつきを有する。
また紐部に中空の材質を用い内部に磁石を入れた構成とする場合もある。
なお、本発明において、カバー部の下端開口部を渡る紐部の数を１本としても同様の効果が得られる。
【図面の簡単な説明】
【００１５】
【図１】  本発明の斜視図
【図２】  本発明の使用状態を示す斜視図
【図３】  本発明の使用状態を示す斜視図
【図４】  本発明の他の実施例を示す斜視図
【符号の説明】
【００１６】  １  カバー部
２  下端開口部
３  紐部
【図１】
2006200100.tif 000003
【図２】
2006200100.tif 000004
【図３】
2006200100.tif 000005
【図４】
2006200100.tif 000006